(57)【要約】【課題】基板の一方の面に接触する部材によって、基板に実装されたコネクタの嵌め合い時における基板の変形を抑制することができる画像読取装置及び画像形成装置を提供する。【解決手段】画像読取装置１は、矩形状の基板１６２と、基板１６２の表面１６２ａに実装され、原稿９で反射した反射光を受けるＣＣＤ１６１と、基板１６２が実装された位置よりも基板１６２の一方の端面側における裏面１６２ｂに実装された第１のコネクタ１９１と、第１のコネクタ１９１よりも基板１６２の長手方向の他方の端面側の位置で基板１６２を支持する支持部材１３４と、支持部材１３４による基板１６２の支持位置よりも基板１６２の長手方向の一方の端面側に設けられ、基板１６２の表面１６２ａに接触して第２のコネクタ１９２の嵌め合わせ方向への基板１６２の変形を規制する規制部材１３７とを備える。【選択図】図６
2011091653.tif 000002
【特許請求の範囲】
【請求項１】
矩形状の基板と、
前記基板の一方の面に実装され、原稿で反射した反射光を受ける光電変換素子と、
前記基板の前記光電変換素子が実装された位置よりも前記基板の一方の端面側であって、前記基板の他方の面に実装され、前記光電変換素子により変換した電気信号の情報を送信する信号線が接続されるコネクタと、
前記コネクタよりも前記基板の長手方向の他方の端面側の位置で前記基板を支持する支持部材と、
前記支持部材による前記基板の支持位置よりも前記基板の長手方向の一方の端面側に設けられ、少なくとも前記コネクタに他のコネクタを嵌め合わせる際に、前記基板の一方の面に接触し、前記他のコネクタの嵌め合わせ方向への前記基板の変形を規制する規制部材と
を備えた画像読取装置。
【請求項２】
前記規制部材は、前記コネクタに前記他のコネクタを嵌め合わせる前後において、前記基板の一方の面とは非接触状態にある請求項１に記載の画像読取装置。
【請求項３】
前記支持部材は、前記基板の長手方向における前記コネクタよりも前記光電変換素子に近い位置で前記基板を支持する請求項１又は２に記載の画像読取装置。
【請求項４】
請求項１乃至３のいずれか１項に記載の画像読取装置と、
前記画像読取装置により読み取られた画像の情報に基づいて記録媒体に画像を形成する画像形成部と
を有する画像形成装置。
【発明の詳細な説明】
【技術分野】
【０００１】
本発明は、画像読取装置及び画像形成装置に関する。
【背景技術】
【０００２】
光源の光によって原稿を照射し、原稿からの反射光を結像レンズによって光電変換素子に結像し、原稿の画像を読み取る画像読取装置が知られている（例えば、特許文献１参照）。
【０００３】
特許文献１に記載の画像読取装置は、原稿の画像信号を出力する光電変換素子と、光電変換素子及び画像信号を主制御ボードに送るための信号線に接続されたコネクタが実装されたセンサーボードとを備えている。センサーボードは、
主走査方向に沿った方向に長辺を有する長方形状に形成され、筐体の底部側にあたる長辺の２箇所に配置された２つの連結部材によって、筐体に固定されたベース部材に連結されている。信号線に接続されたコネクタは、センサーボードの連結部材の一方の上方にあたる位置に実装されている。
【先行技術文献】
【特許文献】
【０００４】
【特許文献１】特開２００７−８１７７６号公報
【発明の概要】
【発明が解決しようとする課題】
【０００５】
本発明の目的は、基板の一方の面に接触する部材によって、基板に実装されたコネクタの嵌め合い時における基板の変形を抑制することができる画像読取装置及び画像形成装置を提供することにある。
【課題を解決するための手段】
【０００６】
［１］矩形状の基板と、前記基板の一方の面に実装され、原稿で反射した反射光を受ける光電変換素子と、前記基板の前記光電変換素子が実装された位置よりも前記基板の一方の端面側であって、前記基板の他方の面に実装され、前記光電変換素子により変換した電気信号の情報を送信する信号線が接続されるコネクタと、前記コネクタよりも前記基板の長手方向の他方の端面側の位置で前記基板を支持する支持部材と、前記支持部材による前記基板の支持位置よりも前記基板の長手方向の一方の端面側に設けられ、少なくとも前記コネクタに他のコネクタを嵌め合わせる際に、前記基板の一方の面に接触し、前記他のコネクタの嵌め合わせ方向への前記基板の変形を規制する規制部材とを備えた画像読取装置。
【０００７】
［２］前記規制部材は、前記コネクタに前記他のコネクタを嵌め合わせる前後において、前記基板の一方の面とは非接触状態にある前記［１］に記載の画像読取装置。
【０００８】
［３］前記支持部材は、前記基板の長手方向における前記コネクタよりも前記光電変換素子に近い位置で前記基板を支持する前記［１］又は［２］２に記載の画像読取装置。
【０００９】
［４］前記［１］乃至［３］のいずれか１つに記載の画像読取装置と、前記画像読取装置により読み取られた画像の情報に基づいて記録媒体に画像を形成する画像形成部とを有する画像形成装置。
【発明の効果】
【００１０】
請求項１，４に記載の発明によれば、コネクタを嵌め合わせる際に基板の一方の面に接触する部材を有しない場合に比べ、基板に実装されたコネクタの嵌め合い時における基板の変形を抑制できる。
【００１１】
請求項２に記載の発明によれば、稼動時における基板と規制部材との接触の有無によって、基板の電子部品の動作状態が影響を受けることを抑制できる。
【００１２】
請求項３に記載の発明によれば、コネクタよりも光電変換素子に近い位置で基板を支持できる。
【図面の簡単な説明】
【００１３】
【図１】図１は、本発明の実施の形態に係る画像形成装置を示す全体図である。
【図２】図２は、本発明の実施の形態に係る画像読取装置の内部構造を示す概略図である。
【図３】図３は、本発明の実施の形態に係る基板の側面図である。
【図４】図４は、本発明の実施の形態に係る画像読取部の構成を示す斜視図である。
【図５】図５は、本発明の実施の形態に係る画像読取部の構成を示す斜視図である。
【図６】図６は、本発明の実施の形態に係る画像読取部のコネクタの周辺を示し、（ａ）はコネクタの嵌め合わせ前の状態を示す部分拡大図、（ｂ）はコネクタの嵌め合わせ時の状態を示す部分拡大図である。
【発明を実施するための形態】
【００１４】
［第１の実施の形態］
（画像形成装置全体の構成）
図１は、本発明の第１の実施の形態に係る画像形成装置を示す。この図では、画像読取装置１の外観、及び画像読取装置１の下側に配置された本体部１００Ａの内部構造を示している。
【００１５】
この画像形成装置１００は、原稿９から画像を読み取る画像読取装置１と、画像を記録媒体としての用紙３０に印刷する画像形成部２と、画像形成部２に用紙を供給するトレイ部３とを備えて構成されている。画像読取装置１は、画像形成部２及びトレイ部３を収容する本体部１００Ａとの間に印刷された用紙が排出される空間を形成するように、支持部４によって本体部１００Ａの上側に支持されている。
【００１６】
画像読取装置１の筐体１２の前面にあたる前壁１２１の上部には、ユーザーに操作メニューを提示して各種設定等を受け付けるタッチパネル１１１、及び複数の操作ボタン１１２を有するコントロールパネル１１０が設けられている。また、コントロールパネル１１０の上側には、筐体１２に対して開閉可能な原稿カバー１０が配置されている。原稿カバー１０には、給紙トレイ１０１ａに置かれた原稿９を読み取り位置に搬送し、読み取り後の原稿９を排紙台１０１ｂに排出する自動給紙部１０１が設けられている。
【００１７】
画像形成部２は、中間転写ベルト２０と、中間転写ベルト２０にイエロー（Ｙ），マゼンダ（Ｍ），シアン（Ｃ），ブラック（Ｋ）の各色のトナー画像を転写する第１乃至第４の画像形成ユニット２５Ｙ，２５Ｍ，２５Ｃ，２５Ｋと、画像情報に基づいて変調されたレーザー光を第１乃至第４の画像形成ユニット２５Ｙ，２５Ｍ，２５Ｃ，２５Ｋに照射する光学走査装置２５０とを備えている。
【００１８】
第１の画像形成ユニット２５Ｙは、感光ドラム２５１と、感光ドラム２５１の表面を一様に帯電する帯電器２５２と、感光ドラム２５１の表面に光学走査装置２５０によって形成された静電潜像をトナーで現像してトナー画像を形成する現像器２５３と、中間転写ベルト２０を感光ドラム２５１に押し付ける一次転写ローラ２５４とを有している。第２乃至第４の画像形成ユニット２５Ｍ，２５Ｃ，２５Ｋも第１の画像形成ユニット２５Ｙと同様に構成されている。
【００１９】
中間転写ベルト２０は、図略のモータに連結された駆動ローラ２１によって駆動され、第１の従動ローラ２２、第２の従動ローラ２３、及び中間転写ベルト２０に張力を付与するテンションローラ２４によって形成される循環経路に沿って回転する。
【００２０】
また、画像形成部２は、中間転写ベルト２０を挟んで第２の従動ローラ２３と対向する位置に配置された二次転写ローラ２６と、ヒーターを内蔵した定着ローラ２７１及び定着ローラ２７１に向かって加圧された加圧ローラ２７２を有する定着ユニット２７と、定着ユニット２７を通過した用紙を排出台２９に排出する排出ローラ２８とを備えている。
【００２１】
トレイ部３は、向きや大きさ、あるいは紙質等の異なる用紙３０をそれぞれ格納し、上下方向に並んで配置された第１乃至第３のトレイ３１〜３３を有している。
【００２２】
また、トレイ部３は、第１乃至第３のトレイ３１〜３３のそれぞれに対応して、格納された用紙３０を取り出すためのピックアップローラ３４Ａ，３４Ｂ，３４Ｃと、複数の用紙３０が取り出された場合にそれらを分離する分離ローラ３５Ａ，３５Ｂ，３５Ｃと、用紙３０をさらに下流側へ搬送するレジローラ３６Ａ，３６Ｂ，３６Ｃとを備えている。レジローラ３６Ａ，３６Ｂ，３６Ｃは、画像形成部２による画像形成のタイミングに同期して動作し、第１乃至第３のトレイ３１〜３３から取り出した用紙３０を搬送路３７に沿って二次転写ローラ２６と中間転写ベルト２０との間に導くように構成されている。
【００２３】
この画像形成装置１００は、各トレイ３１〜３３にサイズや向きが異なる用紙３０が格納されている場合に、各トレイ３１〜３３から供給された用紙３０は、その用紙３０の中心が搬送路３７の中心とほぼ一致するように搬送され、排出ローラ２８から排出台２９上に排出されるように構成されている。
【００２４】
（画像読取装置の構成）
図２は、画像読取装置１の内部構造を示す概略図である。画像読取装置１は、自動給紙部１０１の給紙トレイ１０１ａに置かれた原稿９を排紙台１０１ｂに搬送しながら読み取る第１の読取モードと、原稿台７２の上に置かれた１枚の原稿を読み取る第２の読取モードとを、ユーザーの操作に応じて切り替え可能である。図２は、第１の読取モードにおける原稿読み取り時の状態を示している。
【００２５】
原稿カバー１０に設けられた自動給紙部１０１は、給紙トレイ１０１ａに置かれた原稿９の１枚を取り込む原稿給紙ロール６１、原稿給紙ロール６１によって取り込まれた原稿９を読み取り位置に搬送する原稿搬送ロール６２、原稿搬送ロール６２によって搬送された原稿９を読み取り位置で支持する読取ロール６３、及び原稿９を排紙台１０１ｂに排出する排出ロール６４から構成される原稿搬送機構を有している。
【００２６】
画像読取装置１は、筐体１２の内部に、主走査方向に沿って配置され、副走査方向に移動可能な第１のキャリッジ１４及び第２のキャリッジ１５と、画像データを出力する画像読取部１６と、画像読取装置１を制御するための制御部１７とを備えている。
【００２７】
筐体１２は、原稿カバー１１に面する上壁１２２の一部が開口した箱状であり、上壁１２２に対向する底壁１２３、底壁１２３を挟んで副走査方向（図２の左右方向）に対向する側壁１２４及び側壁１２５、前述の前壁１２１（図１参照）、及び前壁１２１と主走査方向（図２の紙面に直交する方向）に対向する後壁１２６とを有している。
【００２８】
上壁１２２には、原稿９の読み取り位置に対応する部位に開口部１２２ａが形成され、開口部１２２ａには第２の読取モード時に原稿９を支持するプラテンガラスからなる原稿台７２が配置されている。また、原稿台７２の自動給紙部１０１側には、第１の読取モード時に原稿９を読み取るためのプラテンガラスからなる読取窓７１が設けられている。読取窓７１と原稿台７２との間には、第１の読取モードにおいて原稿９を案内するためのガイド７３が設けられている。
【００２９】
後壁１２６には、副走査方向に延びる第１のレール１３１が固定されている。また、底壁１２３には、副走査方向に延びる第２のレール１３２が固定されている。第１のレール１３１及び第２のレール１３２は、主走査方向に並ぶようにそれぞれ２つずつ配置されているが、図２ではそれらの一方のみを図示している。
【００３０】
第１のキャリッジ１４には、第１のキャリッジ１４に沿って主走査方向に延びる基板１４０と、基板１４０に実装され、原稿９を照射するための光を発する発光素子としてのＬＥＤ１４１と、第１のキャリッジ１４に沿って主走査方向に延び、基板１４０と互いに平行になるように配置された導光体５と、導光体５からの出射光の一部を原稿９の方向へ反射する反射部材としてのリフレクタ１４３と、原稿９の反射光を受ける第１のミラー１４６とが固定されている。基板１４０には、ＬＥＤ１４１が主走査方向に沿って複数個実装され、これら複数のＬＥＤ１４１は全体として光源を構成する。
【００３１】
第１のキャリッジ１４は、第１のレール１３１に案内されて、導光体５等の各部材と共に副走査方向に移動しながら原稿９の画像読取部位を照射し、第１のミラー１４６によって、原稿９の反射光を後述する第２のキャリッジ１５の第２のミラー１５１に向けて反射する。
【００３２】
導光体５は、ポリメタクリル酸メチル樹脂等の光透過性を有する材料で形成された棒状の形状を有し、ＬＥＤ１４１の光が入射する入射面５ａと、入射面５ａから入射した光の一部をリフレクタ１４３の方向へ出射する第１の出射面５ｂと、入射面５ａから入射した光の他の一部を原稿９の方へ出射する第２の出射面５ｃとを有している。
【００３３】
第２のキャリッジ１５には、前述の第１のミラー１４６からの反射光を受ける第２のミラー１５１と、この第２のミラー１５１からの反射光を受ける第３のミラー１５２とが固定されている。
【００３４】
また、第２のキャリッジ１５は、第２のレール１３２に案内されて副走査方向に移動しながら、原稿９の反射光を画像読取部１６の結像レンズ１６０に向けて反射する。第１のミラー１４６、第２のミラー１５１、及び第３のミラー１５２は、原稿９で反射した反射光を画像読取部１６に導く光学系を構成する。
【００３５】
第２の読み取りモードでは、第１のキャリッジ１４及び第２のキャリッジ１５が図略の駆動機構によって駆動され、第１のキャリッジ１４の副走査方向への移動中、原稿９の画像読取部位から後述するＣＣＤ１６１までの光路長が変動しないように、第２のキャリッジ１５の移動量が第１のキャリッジ１４の移動量の半分になるように構成されている。第１のキャリッジ１４が原稿９の副走査方向の端部付近に移動したときの第１のキャリッジ１４及び第２のキャリッジ１５を図２に二点鎖線で示す。
【００３６】
画像読取部１６は、第２のレール１３２及び底壁１２３に固定されたベース板１３３を有し、このベース板１３３に固定された結像レンズ１６０、結像レンズ１６０の出射面側に配置された板状の基板１６２、及び基板１６２に実装された光電変換素子としてのＣＣＤ（Charge Coupled Device）１６１等から構成されている。
【００３７】
また、画像読取部１６は、第３のミラー１５２からの反射光が結像レンズ１６０を透過してＣＣＤ１６１に結像し、ＣＣＤ１６１によって原稿９の画像を読み取り、その画像の情報を出力する機能を有している。
【００３８】
基板１６２は、例えばガラス繊維をエポキシ樹脂で固めたものやベークライト等を母材とし、外力によってその厚さ方向に撓む可撓性と、外力が解放されたときに元の形状に戻る弾性とを有している。
【００３９】
制御部１７は、ＣＣＤ１６１で読み取った画像の情報を送信するための信号線を含む電線を有するケーブル１８によって、画像読取部１６の基板１６２と接続されている。制御部１７は、原稿９の読み取り時に画像読取部１６から送信された画像の情報を画像形成部２に送る。
【００４０】
（基板の構成）
図３は、基板１６２をＣＣＤ１６１が実装された表面１６２ａの側から見た側面図である。
【００４１】
基板１６２は、主走査方向に沿って延びるように配置され、その表面１６２ａの長手方向の中心部にＣＣＤ１６１が実装されている。
【００４２】
基板１６２のＣＣＤ１６１が実装された部分の長手方向の一側（図２の後壁１２６側）に取付孔１６２ｃが形成され、他側（前壁１６１側）に取付孔１６２ｄが形成されている。また、基板１６２の長手方向の両側の端面１６２ｅには、高さ方向の下側の端面１６２ｆよりも上側の端面１６２ｇに近い位置に、長手方向の中心部に向けて窪むように形成された凹所１６２ｈが設けられている。
【００４３】
基板１６２の裏面１６２ｂには、取付孔１６２ｃと一側の端面１６２ｅとの長手方向の間の位置に、第１のコネクタ１９１が実装されている。
【００４４】
第１のコネクタ１９１の基板１６２の長手方向における一側の端面１９１ａと基板１６２の一側の端面１６２ｅとの間の距離Ｄ１は、第１のコネクタ１９１の他側の端面１９１ｂと取付孔１６２ｃの中心との基板１６２の長手方向の距離Ｄ２よりも短い。
【００４５】
また、ＣＣＤ１６１の基板１６２の長手方向における一側の端面１６１ｂと取付孔１６２ｃの中心との基板１６２の長手方向の距離Ｄ３は、前述の距離Ｄ２よりも短い。
【００４６】
また、基板１６２には、ＣＣＤ１６１から出力された画像信号をデジタル信号に変換するＡＤ変換素子１７１、及びＡＤ変換素子１７１の出力信号を送信するための通信素子１７２等の電子部品が実装されている。ＣＣＤ１６１、ＡＤ変換素子１７１、通信素子１７２、及び第１のコネクタ１９０は、基板１６２に形成された図略の配線によって接続されている。
【００４７】
（画像読取部の構成）
図４は、基板１６２が取り付けられる前の画像読取部１６の構成を示す斜視図である。
【００４８】
画像読取部１６は、前述のベース板１３３と、ベース板１３３に固定された支持部材１３４と、支持部材１３４に固定された規制部材１３７、懸架部材１３８、及び弾性支持部材１３９と、結像レンズ１６０入射面の上部を覆うカバー１３６とを有している。ベース板１３３、支持部材１３４、規制部材１３７、及び懸架部材１３８は、亜鉛めっき鋼板等の導電性を有する金属板から成型され、グランドに接続されている。
【００４９】
ベース板１３３は原稿台７２に平行になるように筐体１２内に配置されている。また、ベース板１３３には結像レンズ１６０が固定されている。
【００５０】
支持部材１３４は、主走査方向に延びるように形成され、基板１６２の表面１６２ａに向かい合う対向面１３４ａがベース板１３３と直交するように、ベース板１３３に固定されている。
【００５１】
また、支持部材１３４には、その長手方向の中央部に長方形状に開口した窓部１３４ｂが形成されている。窓部１３４ｂの長手方向の両側には、結像レンズ１６０の側とは反対側に突出する突出部１３４ｃが２箇所形成され、突出部１３４ｃの先端部の平面には、ねじ山を有するネジ孔１３４ｄがそれぞれ形成されている。
【００５２】
規制部材１３７は、支持部材１３４の長手方向の奥側（後壁１２６側）に固定されている。規制部材１３７は、支持部材１３４の対向面１３４ａから副走査方向に突出する接触部１３７ａと、接触部１３７ａからさらに副走査方向に突出して形成された懸架部１３７ｂとを有している。
【００５３】
懸架部材１３８は、支持部材１３４の長手方向の手前側（前壁１２１側）に固定されている。また、懸架部材１３８は、その先端部が支持部材１３４の対向面１３４ａから副走査方向に突出するように設けられ、先端部の形状は規制部材１３７の懸架部１３７ｂと同形状である。
【００５４】
弾性支持部材１３９は、規制部材１３７及び懸架部材１３８の下側にあたる支持部材１３４の対向面１３４ａの長手方向の両端部に固定されている。弾性支持部材１３９は、対向面１３４ａに固定された基端部１３９ａから対向面１３４ａに直交する方向に延びる弾性変形可能な突起部１３９ｂを有している。突起部１３９ｂは、その先端部が支持部材１３４の主走査方向の中心部を向く半円状に湾曲している。
【００５５】
図５は、支持部材１３４に基板１６２が固定された状態を示す。基板１６２は、ＣＣＤ１６１の受光面１６１ａに結像レンズ１６０の出射光が結像するように、窓部１３４ａにＣＣＤ１６１が対応する位置に固定される。基板１６２は、基板１６２の裏面１６２ｂの側から取付孔１６２ｃ，１６２ｄを通過して支持部材１３４のねじ孔１３４ｃにネジ締めされた２つのボルト１３５によって、第１のコネクタ１９１よりも手前側の位置で支持部材１３４に固定される。
【００５６】
基板１６２の表面１６２ａは、規制部材１３７の接触部１３７ａとの間に空隙を介して対向している。また、基板１６２の端面１６２ｅは、弾性保持部材１３９の突起部１３９ｂに保持され、基板１６２の端部の振動が抑制されている。
【００５７】
また、基板１６２の両端部の凹所１６２ｈには、規制部材１３７の懸架部１３７ｂ、懸架部材１３８がそれぞれ嵌め合わされている。
【００５８】
ケーブル１８の基板１６２側の一端には、第２のコネクタ１９２が接続されている。第２のコネクタ１９２は、基板１６２に実装された第１のコネクタ１９１に嵌め合わされることにより、それぞれの部材に装着された図略の金属端子同士が接触し、電気的な導通が得られるように構成されている。なお、ケーブル１８の他端部は前述の制御部１７に接続されている。
【００５９】
（画像読取部の組み立て方法）
画像読取部１６の支持部材１３４への基板１６２の固定、及び第１及び第２のコネクタ１９１，１９２の嵌め合わせは次のように行う。
【００６０】
画像読取部１６の組み立てを行う作業者は、支持部材１３４の窓部１３４ｂにＣＣＤ１６１が面するように、基板１６２の表面１２６ａを支持部材１３４の対向面１３４ａに向け、基板１６２の両端の凹所１６２ｈを規制部材１３７の懸架部１３７ｂ、及び懸架部材１３８に嵌め込む。
【００６１】
次に、作業者は、基板１６２の両端面１６２ｅを弾性支持部材１３９の突起部１３９ｂの湾曲部に嵌め込む。この状態で、基板１６２の取り付け孔１６２ｃ，１６２ｄが支持部材１３４の突出部１３４ｃに形成されたネジ孔１３４ｄに対応する位置に位置決めされる。
【００６２】
次に、作業者は、２本のボルト１３５のネジ部を基板１６２の取り付け孔１６２ｃ，１６２ｄに貫通させ、ネジ孔１３４ｄにネジ留めする。これにより基板１６２が支持部材１３４に固定される。
【００６３】
次に、作業者は、基板１６２の裏面１６２ｂに実装された第１のコネクタ１９１に、ケーブル１８が接続された第２のコネクタ１９２を嵌め合わせる。
【００６４】
図６（ａ）及び（ｂ）は、主走査方向の奥側から見た第１のコネクタ１９１及びその周辺部を示す。第１のコネクタ１９１に第２のコネクタ１９２が嵌め合わされる前の状態（図６（ａ）参照）では、基板１６２の表面１６２ａと規制部材１３７の接触部１３７ａとの間に空間が形成されている。基板１６２の表面１６２ａと規制部材１３７の接触部１３７ａとの間隔は、例えば０．５ｍｍである。
【００６５】
一方、第１のコネクタ１９１に第２のコネクタ１９２を嵌め合わせる際の状態（図６（ｂ）参照）では、第１のコネクタ１９１が第２のコネクタ１９２に押し付けられることにより基板１６２が弾性変形し、基板１６２の表面１６２ａが規制部材１３７の接触部１３７ａに接触する。基板１６２と規制部材１３７とが接触することで、基板１６２のさらなる変形が規制される。
【００６６】
第１のコネクタ１９１に第２のコネクタ１９２を嵌め合わせた後には、基板１６２が元の形状に戻り、規制部材１３７の接触部１３７ａから基板１６２が離れる。従って、画像読取装置１の動作時には常に基板１６２と規制部材１３７とが離れた状態となり、基板１６２から放射される電磁波の状態、又は外部からの電磁波が基板１６２の電子部品の動作に与える影響の度合いが基板１６２と規制部材１３７の接触の有無によって変動することが避けられる。
【００６７】
（画像形成装置の動作）
ユーザーが給紙トレイ１０１ａの上、又は原稿台７２の上に原稿９を置き、コントロールパネル１１０のタッチパネル１１１及び操作ボタン１１２を操作して原稿の複写を指示すると、画像読取装置１は画像の読み取りを開始する。画像読取装置１の制御部１７は、第１の読取モードが選択された場合には、自動給紙部１０１を制御して原稿９を読取窓７１の読取対象領域７４に搬送する。
【００６８】
画像読取装置１の制御部１７は、複数のＬＥＤ１４１に電流を供給して発光させる。ＬＥＤ１４１の発光面１４１ａから発した光は、導光体５の入射面５ａに入射し、導光体５の第１及び第２の出射面５ｂ，５ｃから出射する。
【００６９】
また、画像読取装置１の制御部１７は、駆動機構を制御して第１及び第２のキャリッジ１４，１５を副走査方向に駆動する。第１の読取モードの場合には読取窓７１を照射光が透過する位置に第１のキャリッジ１４が固定され、第２の読取モードの場合には原稿台７２に置かれた原稿９を副走査方向に走査するように第１のキャリッジ１４が移動する。
【００７０】
第１の出射面５ｂから出射した光はリフレクタ１４３によって反射して原稿９を照射し、第２の出射面５０ｃから出射した光は直接的に原稿９を照射する。
【００７１】
読取対象領域７４に位置する原稿９の表面９ａで反射した反射光は、第１のミラー１４６、第２のミラー１５１、及び第３のミラー１５２で反射され、画像読取部１６の結像レンズ１６０に入射する。
【００７２】
結像レンズ１６０を透過した光はＣＣＤ１６１の受光面１６１ａに結像する。ＣＣＤ１６１は、受光面１６１ａに配置された多数の画素により、結像した光の明暗を電荷の量に光電変換し、それを順次読み出して電気信号に変換し、出力する。この電気信号は、ＡＤ変換素子１７１によりアナログ信号からデジタル信号に変換され、通信素子１７２によってコネクタ１９及びケーブル１８を介して制御部１７に送信される。
【００７３】
制御部１７は、画像読取部１６から送信された画像の情報を画像形成部２の光学走査装置２５０に送る。この後、制御部１７は、給紙トレイ１０１ａの上に置かれた原稿９を読み取った場合には、自動給紙部１０１を制御して原稿９を排出台１０１ｂに排出する。
【００７４】
光学走査装置２５０は、画像読取部１６から送信された画像の情報に基づいて変調されたＹＭＣＫ各色の光ビームを帯電器２５２によって帯電された感光ドラム２５１に照射して、感光ドラム２５１の表面に静電潜像を形成する。この静電潜像は、現像器２５３によりトナーで現像されてトナー像が形成される。感光ドラム２５１上のトナー画像は、一次転写ローラ２５４によって中間転写ベルト２０に転写される。
【００７５】
一方、第１乃至第３のトレイ３１〜３３の何れか１つ、例えば第１のトレイ３１からは、ピックアップローラ３４Ａによって用紙３０が用紙搬送路３７に取り込まれ、分離ローラ３５Ａによって捌かれた後、レジローラ３６Ａによって二次転写ローラ２６と中間転写ベルト２０との間に搬送され、中間転写ベルト２０上のトナー像が用紙３０に転写される。
【００７６】
その後、用紙３０上のトナー像は、定着ユニット２７によって定着された後、排出ローラ２８によって排出台２９に排出される。
【００７７】
［他の実施の形態］
なお、本発明は、上記各実施の形態に限定されず、その要旨を変更しない範囲内で種々な変形が可能である。
【００７８】
例えば、基板１６２と規制部材１３７とは、第１のコネクタ１９１と第２のコネクタ１９２との嵌め合わせの時以外にも接触するようにしてもよい。また、前述の距離Ｄ２は、距離Ｄ１又は距離Ｄ３よりも短くてもよい。またさらに、ケーブル１８は、制御部１７ではなく、画像形成部２の光学走査装置２５０に直接接続されるように構成してもよい。
【符号の説明】
【００７９】
１…画像読取装置、２…画像形成部、３…トレイ部、４…支持部、５…導光体、５ａ…入射面、５ｂ…第１の出射面、５ｃ…第２の出射面、９…原稿、１０…原稿カバー、１２…筐体、１４…第１のキャリッジ、１５…第２のキャリッジ、１６…画像読取部、２０…中間転写ベルト、２１…駆動ローラ、２２，２３…従動ローラ、２４…テンションローラ、２５Ｙ…第１の画像形成ユニット、２５Ｍ…第２の画像形成ユニット、２５Ｃ…第３の画像形成ユニット、２５Ｋ…第４の画像形成ユニット、２６…二次転写ローラ、２７…定着ユニット、２８…排出ローラ、２９…排出台、３０…用紙、３１…第１のトレイ、３２…第２のトレイ、３３…第３のトレイ、３４Ａ，３４Ｂ，３４Ｃ…ピックアップローラ、３５Ａ，３５Ｂ，３５Ｃ…分離ローラ、３６Ａ，３６Ｂ，３６Ｃ…レジローラ、３７…搬送路、６１…原稿給紙ロール、６２…原稿搬送ロール、６３…読取ロール、６４…排出ロール、７１…読取窓、７２…原稿台、７３…ガイド、７４…読取対象領域、１００…画像形成装置、１００Ａ…本体部、１０１ａ…給紙トレイ、１０１ｂ…排紙台、１１０…コントロールパネル、１１１…タッチパネル、１１２…操作ボタン、１２０…プラテンガラス、１２１…前壁、１２２…上壁、１２２ａ…開口部、１２３…底壁、１２４…側壁、１２５…側壁、１２６…後壁、１３１…第１のレール、１３２…第２のレール、１３３…ベース板、１３４…支持部材、１３４ａ…対向面、１３４ｂ…窓部、１３４ｃ…突出部、１３４ｄ…ネジ孔、１３５…ボルト、１３６…カバー、１３７…規制部材、１３７ａ…接触部、１３７ｂ…懸架部、１３８…懸架部材、１３９…弾性接触部材、１３９ａ…基端部、１３９ｂ…突起部、１４０…基板、１４１…ＬＥＤ、１４１ａ…発光面、１４３…リフレクタ、１４６…第１のミラー、１５１…第２のミラー、１５２…第３のミラー、１６０…結像レンズ、１６１…ＣＣＤ、１６１ａ…受光面、１６２…基板、１６２ａ…表面、１６２ｂ…裏面、１６２ｃ，１６２ｄ…取付孔、１６２ｅ，１６２ｆ，１６２ｇ…端面、１６２ｈ…凹所、１７１…ＡＤ変換素子、１７２…通信素子、２５０…光学走査装置、２５１…感光ドラム、２５２…帯電器、２５３…現像器、２５４…一次転写ローラ、２７１…定着ローラ、２７２…加圧ローラ
【図１】
2011091653.tif 000003
【図２】
2011091653.tif 000004
【図３】
2011091653.tif 000005
【図４】
2011091653.tif 000006
【図５】
2011091653.tif 000007
【図６】
2011091653.tif 000008